Podtech/llm-jp-corpus-v4-ja_patent huggingface dataset:
(57)【特許請求の範囲】
【請求項１】
前後一対の薄板（１１）の左右両側と上下両側とのそれぞれの縁部を接着し、該接着部の上端一部を開口して、該開口を閉塞板（１４）で閉塞することで胴部（１０）を形成して、前記閉塞板（１４）へ口筒部（２０）を貫設させ、排出による残量の減少で胴部が前後内方向へ変形して胴部の前後両内面が密着可能な薄肉容器において、
胴部（１０）の前後両内面に突設した、互いに交差する一対の突条（１５ａ、１５ｂ）で形成された複数の突部（１５）を設け、各突部（１５）は上下一列に配列された縦列群（１６）を左右方向へ間隔をおいて一列以上設け、胴部（１０）の前後両内面密着時に、前後両内面の各突条（１５ａ、１５ｂ）が互いに当接して、前後両内面間に内容物排出用の隙間を形成可能に設けたことを特徴とする薄肉容器。
【請求項２】
前記突部（１５）は前記胴部（１０）内面への厚盛印刷によって形成することを特徴とする請求項１に記載の薄肉容器。
【請求項３】
前記突部（１５）は胴部（１０）内面に接着された突部用部材から形成されていることを特徴とする請求項１又は２のいずれか１つに記載の薄肉容器。
【発明の詳細な説明】
【技術分野】
【０００１】
本発明は、パウチ、チューブその他の薄肉容器に関する。
【背景技術】
【０００２】
胴部がプラスチックフィルムで形成され、胴部上端に設けられた口筒から内容物を排出すると、胴部の左右両面が接近して内容物を押し上げることで内容物の連続的な排出を可能にしたパウチ等の薄肉容器が知られている(特許文献１)。
【特許文献１】特開２００８−０５００６０号公報
【発明の開示】
【発明が解決しようとする課題】
【０００３】
しかしながら特許文献１記載の発明では、胴部下端部での左右両面の接近量が小さく、このため胴部下端部の内容物が押上げられることなく残留する一方、内容物が減少すると、胴部中間部の左右両面が密着するため、口筒からの吸引力が胴部の下端部にまで及ばず、胴部下端部に残った内容物を取り出すのが困難になっていた。
【０００４】
本発明の目的は、胴部の下端部に残留した内容物の取り出しを容易にして、残量の減少化を図った薄肉容器を提供することにある。
【課題を解決するための手段】
【０００６】
本発明は、前後一対の薄板１１の左右両側と上下両側とのそれぞれの縁部を接着し、該接着部の上端一部を開口して、該開口を閉塞板１４で閉塞することで胴部１０を形成して、前記閉塞板１４へ口筒部２０を貫設させ、排出による残量の減少で胴部が前後内方向へ変形して胴部の前後両内面が密着可能な薄肉容器において、
胴部１０の前後両内面に突設した、互いに交差する一対の突条１５ａ、１５ｂで形成された複数の突部１５を設け、各突部１５は上下一列に配列された縦列群１６を左右方向へ間隔をおいて一列以上設け、胴部１０の前後両内面密着時に、前後両内面の各突条１５ａ、１５ｂが互いに当接して、前後両内面間に内容物排出用の隙間を形成可能に設けたことを特徴とする。
【００１０】
さらに、本発明は、前記突部１５は前記胴部１０内面への厚盛印刷によって形成することを特徴とする。
【００１１】
さらに、本発明は、前記突部１５は胴部１０内面に接着された突部用部材から形成されていることを特徴とする。
【発明の効果】
【００１２】
本発明は、胴部に突部を設けて、胴部の前後両内面の密着時に、該前後両内面間に内容物流出用の隙間が形成されるようにしたので、口筒からの吸引力が胴部の下端部にまで及ぶこととなって、胴部下端部に残留した内容物の排出が可能となるため、残量の減少化が図れる。
【発明を実施するための最良の形態】
【００１３】
以下、本発明を、図面に示す実施の形態を参照しながら説明する。なお、説明の便宜上、図１において紙面と直交する方向を前後方向とし、手前を前部、後方を後部として説明する。
１は容器体で、胴部１０の上端中央部に口筒部２０を備えている。
【００１４】
胴部１０はプラスチックフィルムからなる前後一対の薄板１１の左右両側と上下両側とのそれぞれの縁部を溶着等によって接着するとともに、上側の接着部１２の中央部を剥離させて前後方向へ拡開させることで開口部１３を形成し、該開口部１３を閉塞板１４で閉塞している。なお、薄板１１は単層でもよく、バリア層を中間層とした積層であってもよい。
【００１５】
胴部１０の前後両内面には複数の突部１５が設けられている。これら突部１５は、図３に示すように胴部１０の前後両内面の密着時に、互いに当接可能なように前後に相対向するように設けている。また、突部１５は上下に一列に配列されており、これら上下一列の縦列群１６が左右方向に所定の間隔をおいて複数配列されている。
【００１６】
突部１５は一対の突条１５ａ、１５ｂからなり、これら突条１５ａ、１５ｂは十字状に直交している。
【００１８】
なお、突部１５を胴部１０の内面から隆起させる手段の１つとして、胴部１０内面への厚盛印刷を挙げることができる。さらには胴部１０内面に棒状等適宜の形状の突部用部材を接着することも可能である。
【００２０】
口筒部２０は、胴部１０の閉塞板１４中央部に形成された透孔に貫設されていて、閉塞板１４よりも上方の筒部分にはキャップ２１が螺合されており、また、閉塞板１４よりも下方の筒部分は胴部１０の上部内へ内容物を排出可能に垂下している。
【００２１】
次に作用について説明する。
胴部１０内にゼリー状物等の内容物が充填された状態で、吸引により口筒部２０から内容物を食することが可能である。内容物が口筒部２０から排出されると、胴部１０の中央部が次第に凹みはじめ、残量が減少してくると、胴部１０の前後両内面が密着するようになり、胴部１０の下端部に内容物が残留する。
【００２２】
胴部１０の前後両内面が密着すると、図３では前後の突条１５ａ、１５ｂが当接するため、突部１５の周囲の胴部前後両内面間に隙間が生じる。本実施形態では、突部１５は上下に一列に配列されているから、このような隙間が上下に連続して形成されるようになり、これが上下方向への内容物流出路を形成する。
【００２３】
したがって、胴部１０の前後両内面が密着した後も、口筒から吸引を続けると、胴部１０の下端部に残留した内容物が内容物流出路を通って口筒部２０から排出する。
【００２４】
なお、上記ではパウチを例に挙げて説明した。
【図面の簡単な説明】
【００２５】
【図１】本発明に係る薄肉容器の斜視図である。
【図２】プラスチックフィルムの接着状態を示す斜視図である。
【図３】図２のＡ−Ａ線に沿う断面図である。
【符号の説明】
【００２６】
１    容器体
１０  胴部
１１  薄板
１３  開口部
１４  閉塞板
１５  突部
１６  縦列群
１５ａ、１５ｂ  突条
２０  口筒部
【図１】
0005339337.tif 000002
【図２】
0005339337.tif 000003
【図３】
0005339337.tif 000004